(57)【要約】【課題】カスタマイズモードを実行する場合に、不必要な点火動作を行わないようにする。【解決手段】加熱・停止操作部である点消火ボタンとは別のカスタマイズモードスイッチ３５を操作してマイコン３３への給電を開始してカスタマイズモードを開始できるようにし、従来のようにカスタマイズモードを開始するために、器具栓スイッチ１７〜１９をオンする点消火ボタンの点火操作を不要とし、不必要な点火動作を行わないようにして、無駄なエネルギーの消費をなくすようにしている。【選択図】図７
2017116191.tif 000002
【特許請求の範囲】
【請求項１】
被加熱物を加熱する加熱部と、前記加熱部による加熱の開始および加熱の停止を指令するために操作される加熱・停止操作部と、前記加熱・停止操作部の操作に基づいて前記加熱部による加熱の開始および加熱の停止を制御すると共に、前記加熱部による加熱を制御する制御部と、前記制御部への電源の供給および遮断を行うスイッチ手段とを備え、前記加熱・停止操作部の操作による加熱の開始指令に応じて、前記スイッチ手段が、前記制御部への電源の供給を開始する加熱調理器において、
前記加熱部による加熱に関する設定内容が記憶される記憶部を備え、
前記制御部は、前記記憶部に記憶されている前記設定内容に基づく前記加熱部の制御が可能であって、かつ、前記記憶部に記憶される前記設定内容を変更するカスタマイズモードの実行が可能であり、
前記カスタマイズモードにおいて、変更すべき前記設定内容を入力するために操作される入力操作部と、
前記加熱・停止操作部以外の別の操作部であって、前記カスタマイズモードの開始および終了のために操作されるカスタマイズモード操作部とを備え、
前記スイッチ手段は、前記カスタマイズモード操作部によるカスタマイズモードを開始させる操作に応答して、前記制御部への電源の供給を開始するものであり、
前記制御部は、カスタマイズモードを開始させる操作に応答して、電源が供給されると、カスタマイズモードを開始し、前記カスタマイズモード操作部によるカスタマイズモードを終了させる操作に応答して、前記入力操作部によって入力された設定内容を、変更された設定内容として前記記憶部に記憶させてカスタマイズモードを終了する、
ことを特徴とする加熱調理器。
【請求項２】
前記加熱部による加熱に関する設定内容には、加熱時間を含み、
前記加熱時間を設定するために操作される時間設定操作部を備え、
前記時間設定操作部を、前記カスタマイズモード操作部とする、
請求項１に記載の加熱調理器。
【請求項３】
前記カスタマイズモード操作部による前記カスタマイズモードを開始するための操作と、前記カスタマイズモードを終了させるための操作とが、同じ操作である、
請求項１または２に記載の加熱調理器。
【請求項４】
前記制御部は、前記スイッチ手段による電源の供給が開始されると、前記スイッチ手段による電源の供給を維持させる、
請求項１ないし４のいずれかに記載の加熱調理器。
【発明の詳細な説明】
【技術分野】
【０００１】
本発明は、ガスコンロ等の加熱調理器に関する。
【背景技術】
【０００２】
加熱調理器、例えば、ガスコンロには、制御部へ電源を供給するための電源スイッチが備えられていない機種がある。かかる機種においては、バーナによる加熱の開始と加熱の停止を指令するための加熱・停止操作部としての点消火スイッチを点火操作することによって、制御部に電源が供給されると共に、バーナの点火が行われる。その後、例えば、火力を調整するための操作などに応じて、バーナの火力調整などが行われる（例えば、特許文献１参照）。
【先行技術文献】
【特許文献】
【０００３】
【特許文献１】特開２００１−２０１０５３号公報
【発明の概要】
【発明が解決しようとする課題】
【０００４】
ところで、上記のようなガスコンロには、例えば、炊飯モードにおけるご飯の炊き上がりの状態、あるいは、コンロ消し忘れ消火機能設定時間などのバーナによる加熱に関連する各種の設定内容を、工場出荷時の初期値から使用者の好みや使い勝手に応じて変更できる動作モード、いわゆる、カスタマイズモードが備えられている。
【０００５】
かかるカスタマイズモードによって、設定内容を変更する場合には、先ず、ガスコンロを使用していない状態にし、次に、制御部に電源を供給してカスタマイズモードを開始する必要がある。
【０００６】
上記のように電源スイッチが備えられておらず、加熱・停止操作部である点消火スイッチを点火操作して制御部に電源を供給する機種においては、点消火スイッチを点火操作する必要がある。このため、バーナに点火する必要がないカスタマイズモードにおいても、通常の動作モードにおける点火操作と同様に、一旦バーナに点火され、その後、カスタマイズモードであることが制御部に認識されてバーナが消火される、あるいは、使用者自身が消火操作を行ってバーナを消火するようにしている。
【０００７】
このように加熱・停止操作部である点消火スイッチを点火操作して制御部へ給電する機種では、カスタマイズモードを実行するためには、一旦点火して、その後消火するといった不必要な点火動作が行われ、エネルギーが無駄に消費されるという課題がある。
【０００８】
本発明は、上記のような点に鑑みてなされたものであって、カスタマイズモードを実行する場合に、不必要な点火動作を行わないようにすることを目的とする。
【課題を解決するための手段】
【０００９】
上記目的を達成するために、本発明では次のように構成している。
【００１０】
（１）本発明は、被加熱物を加熱する加熱部と、前記加熱部による加熱の開始および加熱の停止を指令するために操作される加熱・停止操作部と、前記加熱・停止操作部の操作に基づいて前記加熱部による加熱の開始および加熱の停止を制御すると共に、前記加熱部による加熱を制御する制御部と、前記制御部への電源の供給および遮断を行うスイッチ手段とを備え、前記加熱・停止操作部の操作による加熱の開始指令に応じて、前記スイッチ手段が、前記制御部への電源の供給を開始する加熱調理器において、
前記加熱部による加熱に関する設定内容が記憶される記憶部を備え、前記制御部は、前記記憶部に記憶されている前記設定内容に基づく前記加熱部の制御が可能であって、かつ、前記記憶部に記憶される前記設定内容を変更するカスタマイズモードの実行が可能であり、前記カスタマイズモードにおいて、変更すべき前記設定内容を入力するために操作される入力操作部と、前記加熱・停止操作部以外の別の操作部であって、前記カスタマイズモードの開始および終了のために操作されるカスタマイズモード操作部とを備え、前記スイッチ手段は、前記カスタマイズモード操作部によるカスタマイズモードを開始させる操作に応答して、前記制御部への電源の供給を開始するものであり、前記制御部は、カスタマイズモードを開始させる操作に応答して、電源が供給されると、カスタマイズモードを開始し、前記カスタマイズモード操作部によるカスタマイズモードを終了させる操作に応答して、前記入力操作部によって入力された設定内容を、変更された設定内容として前記記憶部に記憶させてカスタマイズモードを終了する。
【００１１】
本発明によると、カスタマイズモードを開始および終了させると共に、スイッチ手段による制御部への電源の供給を開始させるために操作されるカスタマイズモード操作部は、加熱部による加熱の開始を指令する加熱・停止操作部以外の別の操作部であるので、従来のように、カスタマイズモードを開始するために、加熱・停止操作部を操作して加熱部による加熱を開始する必要がなく、無駄にエネルギーを消費することがない。
【００１２】
また、カスタマイズモードは、カスタマイズモード操作部を操作してカスタマイズモードを開始させ、入力操作部を操作して変更すべき設定内容を入力し、更に、カスタマイズモード操作部を操作してカスタマイズモードを終了させなければ、記憶部に記憶されている設定内容は変更されないので、不用意に記憶部の設定内容が変更されるといったことがない。
【００１３】
（２）本発明の好ましい実施態様では、前記加熱部による加熱に関する設定内容には、加熱時間を含み、前記加熱時間を設定するために操作される時間設定操作部を備え、前記時間設定操作部を、前記カスタマイズモード操作部とする。
【００１４】
この実施態様によると、加熱部による加熱時間を設定するために操作される時間設定操作部を、カスタマイズモード操作部として兼用できることになり、カスタマイズモード操作部を別途設ける必要がない。
【００１５】
（３）本発明の他の実施態様では、前記カスタマイズモード操作部による前記カスタマイズモードを開始するための操作と、前記カスタマイズモードを終了させるための操作とが、同じ操作である。
【００１６】
この実施態様によると、カスタマイズモードの開始と終了の操作が同じであるので、操作が簡単となる。
【００１７】
（４）本発明の好ましい実施態様では、前記制御部は、前記スイッチ手段による電源の供給が開始されると、前記スイッチ手段による電源の供給を維持させる。
【００１８】
この実施態様によると、カスタマイズモードを開始するためにカスタマイズモード操作部の操作を行なって、スイッチ手段による制御部への電源の供給が開始されると、その電源供給状態が維持されてカスタマイズモードを継続することができる。
【発明の効果】
【００１９】
本発明によれば、カスタマイズモードを開始および終了させると共に、スイッチ手段による制御部への電源の供給を開始するために操作されるカスタマイズモード操作部は、加熱部による加熱の開始を指令する加熱・停止操作部以外の別の操作部であるので、従来のように、カスタマイズモードを開始するために、加熱・停止操作部を操作して加熱部による加熱を開始する必要がなく、無駄にエネルギーを消費することがない。
【００２０】
また、カスタマイズモードは、カスタマイズモード操作部を操作してカスタマイズモードを開始させ、また、カスタマイズモード操作部を操作してカスタマイズモードを終了させなければ、記憶部に記憶されている設定内容は変更されないので、不用意に記憶部の設定内容が変更されるといったことがない。
【図面の簡単な説明】
【００２１】
【図１】本発明の一実施形態のガスコンロの全体斜視図である。
【図２】図１のガスコンロの調理設定部の正面図である。
【図３】図１のグリル操作部の正面図である。
【図４】図１のガスコンロのコンロバーナおよびグリルバーナへのガス供給の説明図である。
【図５】図１のガスコンロのガス弁ブロックの概略断面図である。
【図６】図１のガスコンロのコンロバーナの断面図である。
【図７】図１のガスコンロの要部の回路図である。
【図８】カスタマイドモードにおける設定項目及び設定内容にそれぞれ対応するタイマー表示部の表示内容を示す図である。
【発明を実施するための形態】
【００２２】
以下、添付した図面を参照して、本発明の実施形態に係る加熱調理器としてのガスコンロを説明する。本発明の一実施形態のガスコンロとして、コンロ部とグリルとを備えたビルトイン型のガスコンロ１について、添付図面に基づいて説明する。
【００２３】
図１に示すように、ガスコンロ１の天面部を構成するトッププレート１１には複数の加熱部２が設けてある。本実施形態では図１に示すように、向かって左側および右側に加熱部２として高火力のコンロバーナ３１を備えたコンロ部２ａが設けてある。トッププレート１１の上面には、各コンロバーナ３１を中心にして五徳２１が設けてあり、前記コンロバーナ３１と五徳２１と、点火装置２３及び点火検知装置２４（図４参照）とで、加熱部２としてのコンロ部２ａが構成される。
【００２４】
なお、点火装置２３は、入力回路（高圧トランスの１次側巻き線を含む）が一つに対して出力回路（高圧トランスの２次側巻き線）が各バーナの数だけ備えられ、一つの前記入力回路への通電により各々の前記出力回路（高圧トランスの２次側巻き線）に高電圧が発生し、各バーナの全てに点火用放電のための高電圧が供給される。
【００２５】
各コンロ部２ａには、図６に示すように、五徳２１上に載置される被加熱物としての調理容器を検知する容器検知手段２５と、調理容器の下面の温度を検知する温度センサ２６とが設けてある。容器検知手段２５は、ガスコンロ１に固定される支持部２５ａと、支持部２５ａに上下方向に移動自在に支持される可動部２５ｂと、可動部２５ｂの上下位置を検知する検知スイッチ２５ｃとによって構成される。可動部２５ｂは、ばね等の付勢手段（図示せず）により上方に付勢され、その上端部は五徳２１よりも上方に突出する。この状態で五徳２１上に調理容器が載置されると、可動部２５ｂの上端部が調理容器の下面によって押し下げられ、可動部２５ｂの下動に伴い検知スイッチ２５ｃにより下動が検知され、制御部に認識される。そして、可動部２５ｂの上端部に上記温度センサ２６が設けられ、調理容器が五徳２１上に載置された時に調理容器の下面に当接して温度を検出し、検出温度は上記制御部に認識される。
【００２６】
また、ガスコンロ１には、図１に示すように、加熱部２としてのグリル２ｂが設けてある。グリル２ｂは、ガスコンロ１の本体内の中央部に形成されるグリル庫と、グリル庫内に設けられるグリルバーナ（図示せず）と、点火装置２３及び点火検知装置２４とで構成され、グリル２ｂの前端は、ガスコンロ１の前面部１２に開口していてグリル扉２８によって開閉自在に閉塞される。
【００２７】
点火装置２３は、イグナイタ（図示せず）で発生させる高圧パルスにより、コンロバーナ３１及びグリルバーナの燃料ガスの吐出口に設けられる点火プラグに放電を起こさせて点火するもので、イグナイタは上記制御部により制御される。
【００２８】
点火検知装置２４は、コンロバーナ３１及びグリルバーナに設けられる熱電対からなるもので、点火されると火炎の熱により発生する熱起電力が上記制御部に認識される。
【００２９】
グリル扉２８の両側には、図１に示すように、グリル扉２８と共にガスコンロ１の前面部１２を構成する前面パネルＰ１、Ｐ２が設けてある。左側の前面パネルＰ１の上側には、左側のコンロバーナ３１を点火および消火するための点消火ボタン１４ａが設けてあり、右側の前面パネルＰ２の上側には、グリルバーナを点火および消火するための点消火ボタン１４ｂ、右側のコンロバーナ３１を点火および消火するための点消火ボタン１４ｃとが設けてある。これら点消火ボタン１４（１４ａ〜１４ｃ）が、加熱部２での加熱の開始および加熱の停止を指令するために操作される加熱・停止操作部となっている。また前面部１２には、各加熱部２の加熱量を調節するために操作される火力調節レバー１５（１５ａ〜１５ｃ）がそれぞれ各点消火ボタン１４ａ〜１４ｃの上に設けてある。
【００３０】
ガスコンロ１の左側の前面パネルＰ１の下側には、図２に示すように、コンロ用の調理設定部７が設けられ、ガスコンロ１の右側の前面パネルＰ２の右下の左側には、図３に示すグリル用の操作部８が設けられている。また、ガスコンロ１の右側の前面パネルＰ２の右下の右側には、上記制御部を構成する後述のマイクロコンピュータ（マイコン）の電源となる電池が収容される電池ケース１３が設けられている。
【００３１】
コンロ用の調理設定部７は、揚げもの、湯わかし、炊飯の自動調理のメニューを設定するための設定部や表示部を備えると共に、調理時間を設定するためのプラスキー７１ａ及びマイナスキー７１ｂからなるタイマー入力部７１と、タイマー表示部７２とを備えている。グリル用の操作部８は、加熱時間である調理時間を設定するためのプラスキー８１ａ及びマイナスキー８１ｂからなるタイマー入力部８１及びタイマー表示部８２を備えている。
【００３２】
図４は、ガスコンロ１のコンロバーナ３１およびグリルバーナへのガス供給の説明図であり、図５は、ガスコンロ１のガス弁ブロック６の概略断面図である。
【００３３】
ガス弁ブロック６は、器具栓本体６０に、内部のガス流路６１と、ガス流路６１の上流端となる導入口６１ａ及び下流端となる導出口６１ｂとが設けてある。内部のガス流路６１には、上流側より安全弁６２用の弁孔、メイン弁６３用の弁孔が設けてある。メイン弁６３用の弁孔の下流側は、大火用の流路６１ｃと小火用の流路６１ｄとが並列に設けてあり、大火用の流路６１ｃに大火力／小火力切替用のラッチ式電磁弁ＬＢ１用の弁孔が設けてあり、小火用の流路６１ｄにラッチ式電磁弁ＬＢ２用の弁孔が設けてある。
【００３４】
ラッチ式電磁弁ＬＢ１の弁孔の下流側と、ラッチ式電磁弁ＬＢ２の下流側に位置する小火用オリフィスｏｆ２の下流側とで、大火用の流路６１ｃと小火用の流路６１ｄとが合流し、さらにその下流側には、火力調節レバー１５と連動する流量制御弁６５用の弁孔が設けてある。
【００３５】
因みに、上述した容器検知手段２５により調理容器が検知されていない時に点消火ボタン１４を操作した場合には、上記制御部によりラッチ式電磁弁ＬＢ１及びラッチ式電磁弁ＬＢ２が閉止されて、加熱を開始しないようにする容器検知制御が行われるもので、五徳２１上に調理容器が載置されていない場合にはコンロバーナ３１に炎が形成されないように構成してある。
【００３６】
また、ガス流路６１には、前記ラッチ式電磁弁ＬＢ１及びラッチ式電磁弁ＬＢ２を設けた部分をバイパスするバイパス流路ＢＰが設けてあり、このバイパス流路ＢＰにバイパス用オリフィスｏｆ１が設けてある。バイパス用オリフィスｏｆ１は、ガス弁ブロック６を複数機種で共用するために設けられるもので、ガス弁ブロック６を他の機種への応用において使用する時には開口される場合があるが、本実施形態においては、バイパス用オリフィスｏｆ１は閉塞体（図示せず）により閉塞されている。
【００３７】
火力調節レバー１５を中火から大火の間の位置に設定しておいたときに、ラッチ式電磁弁ＬＢ１とラッチ式電磁弁ＬＢ２との開・閉の組み合わせに応じて、コンロバーナ３１の火力が、上記制御部により調整制御される。
【００３８】
流量制御弁６５用の弁孔の下流側は、コンロバーナ３１にガスを供給するための導出口に至る。
【００３９】
器具栓本体６０には、スライダ６６が前後方向に移動自在に取り付けてあり、スライダ６６は前端面が点消火ボタン１４に組み込まれたチャイルドロック用スライド部（図示せず）により後方に押圧されることで後退するようになっている。
【００４０】
チャイルドロック用スライド部が内部に組み込まれた点消火ボタン１４は、前後動自在に設けられるもので、前記点消火ボタン１４の指で押される部分よりも上側の部分がコンロ本体側に枢支されて指で押される部分が前後動し、スライダ６６の前端面を後方に押圧する。スライダ６６には、例えば既存のハート型カム等からなる前位置と後位置の切替機構（図示せず）が設けてあり、前記点消火ボタン１４を押し操作する毎に、スライダ６６が後位置から前進して前位置に位置したり、前位置から後退して後位置に位置して、前位置と後位置とが切り替わって保持される。
【００４１】
また、スライダ６６の進退に伴って進退するバルブロッド６７が設けてある。バルブロッド６７の先端側はガス流路６１内に挿入され、その先端部は後方、すなわち下流側より上流側に向けて、メイン弁６３用の弁孔と安全弁６２用の弁孔とに挿通されている。バルブロッド６７は、スライダ６６が前位置から後位置に切り替わる際、一旦後位置よりも後方の最後位置に後退してから後位置にまで前進するが、この最後位置に移動した時に、安全弁６２用の弁孔を上流側より閉止している安全弁６２の弁体を上流側に移動させて、安全弁６２用の弁孔を開放する。安全弁６２は電磁弁からなり、弁体が前方すなわち下流側に前進することで安全弁６２用の弁孔を後方より閉止し、弁体が後方すなわち上流側に後退することで安全弁６２用の弁孔を開放する。
【００４２】
安全弁６２は、点火検知装置２４により火炎が検知されている場合にのみ上記制御部により開放状態が維持され、火炎が検知されなくなると上記制御部による開放状態の維持が停止して閉止される。これにより、煮こぼれや風により立ち消えが起こって点火検知装置２４の火炎が検知されなくなった場合に、燃料ガスの流出が防止される。また、温度センサ２６により検出された調理容器の下面の温度が所定の温度（例えば２５０℃）に達すると、空焚きや焦げ付き等の異常が発生していると判定して、安全弁６２を閉止する。このように、安全弁６２、点火検知装置２４、温度センサ２６により異常検知手段が構成されている。
【００４３】
バルブロッド６７の途中には、メイン弁６３用の弁孔を開閉するメイン弁体が設けてある。そして、スライダ６６が前位置に位置している時にはメイン弁体がメイン弁６３用の弁孔を後方より閉止し、スライダ６６が後位置に位置している時には、メイン弁体がメイン弁６３用の弁孔より後方に位置してメイン弁６３用の弁孔を開放する。
【００４４】
流量制御弁６５用の弁孔は、火力調整用のニードル６５ａの前後方向の移動により開度が自在に調節される。ニードル６５ａは、火力調節レバー１５を操作することで、開度の調節がなされ、火力調節レバー１５が右に行く程、燃料ガスの供給量が多くなるように調節される。
【００４５】
点消火ボタン１４又はスライダ６６の位置によりＯＮ／ＯＦＦが切り替わる器具栓スイッチが設けてある。器具栓スイッチは、点消火ボタン１４（又はスライダ６６）が前位置に位置している時にはＯＦＦとなり、後位置（最後位置も含む）に位置している時にＯＮとなる。
【００４６】
コンロバーナ３１、グリルバーナの点火を行うには、点消火ボタン１４を押し操作して、スライダ６６を前位置から後位置に後退させる。スライダ６６とともに後退したバルブロッド６７により、安全弁６２が開放されると共にメイン弁６３が開放され、燃料ガスがコンロバーナ３１、グリルバーナに供給される。また、スライダ６６が後退することにより器具栓スイッチがＯＮとなり、上記制御部への給電がＯＮとなって制御部が動作を開始する。
【００４７】
点消火ボタン１４が押し操作されて、加熱が開始されると、火力調節レバー１５を操作することで、所望の火力が得られる。なお、左側のコンロバーナ３１を備えたコンロ部２ａの火力調節レバー１５は、該コンロ部２ａの操作部を操作して点火を行う時、操作部の操作と連動して火力が中火力側に移動するようになっていて、点火時には中程度の火力となっている。
【００４８】
全ての点消火ボタン１４のスライダ６６を前位置にすると、メイン弁６３が閉止して消火し、器具栓スイッチがＯＦＦになり、安全弁６２が閉止すると共に後述の電源保持信号の出力が停止して制御部への給電が終了する。
【００４９】
本実施形態のガスコンロ１には、例えば、炊飯モードにおけるご飯の炊き上がりの状態などのバーナによる加熱に関連する各種の設定内容が、制御部を構成する上記マイコンの記憶部に記憶されており、この設定内容を、工場出荷時の初期値から使用者の好みに応じて変更できる動作モードであるカスタマイズモードが備えられている。カスタマイズモードによって、記憶部の設定内容が変更された後には、マイコンは、変更された記憶部の設定内容に基づいて、加熱等の制御を行う。
【００５０】
かかるカスタマイズモードを実行する場合には、先ず、ガスコンロ１を使用していない状態にし、次に、マイコンに電源を供給してカスタマイズモードを開始する必要がある。
【００５１】
本実施形態では、カスタマイズモードを開始するために、従来例のように、加熱・停止操作部である点消火ボタン１４を点火操作して、マイコンに電源を供給すると共に、一旦点火動作を行ってカスタマイズモードを開始するのではなく、点火動作を行うことなく、カスタマイズモードを開始できるように、次のように構成している。
【００５２】
すなわち、本実施形態では、上記のグリル用のタイマー入力部８１のプラスキー８１ａとマイナスキー８１ｂとを、カスタマイズモードを開始及び終了させるために操作するカスタマイズモードスイッチ（カスタマイズモード操作部）としている。カスタマイズモードを開始あるいは終了させるときには、使用者は、カスタマイズモードスイッチであるタイマー入力部８１のプラスキー８１ａ及びマイナスキー８１ｂを同時に３秒以上押し操作する。
【００５３】
図７は、マイコンへの電源の供給等を説明するための要部の回路図である。
【００５４】
図７において、１７，１８，１９は、グリル用、左コンロ用、及び、右コンロ用の各器具栓スイッチであり、各器具栓スイッチ１７，１８，１９は、点消火ボタン１４ｂ，１４ａ，１４ｃの各操作に応じて上記のようにそれぞれオン、オフする。
【００５５】
各器具栓スイッチ１７〜１８のうち、例えば、右コンロ用の点消火ボタン１４ｃが押し操作されて器具栓スイッチ１９がオン状態になると、電源部３２から、器具栓スイッチ１９、ダイオードＤ３、抵抗Ｒ４、抵抗Ｒ５を介して電流が流れ、第２トランジスタＱ２のベース電位が高くなって当該第２トランジスタＱ２がオンする。
【００５６】
第２トランジスタＱ２がオンすると、該第２トランジスタＱ２に抵抗Ｒ６を介してベースが接続されている第１トランジスタＱ１のベース電位が低下して当該第１トランジスタＱ１がオンし、これによって、電源部３２から第１トランジスタＱ１のコレクタ−エミッタを介してマイコン３３の電源入力端子に電源が供給されて、マイコン３３が起動される。
【００５７】
マイコン３３は、上記の制御部として機能すると共に、カスタマイズモードで変更可能な各種の設定内容を記憶する記憶部を備えている。
【００５８】
第１トランジスタＱ１は、マイコン３３への電源の供給および遮断を行うスイッチ手段を構成している。
【００５９】
上記のように器具栓スイッチ１９がオン状態になると、電源部３２から、器具栓スイッチ１９及び抵抗Ｒ３を介してグランドに電流が流れ、マイコン３３の右コンロ入力端子の電位がハイレベルとなって、マイコン３３は、右コンロ用の点消火ボタン１４ｃの点火操作を認識することができ、右コンロのバーナ３１を点火して加熱を開始する。
【００６０】
マイコン３３は、電源部３２から電源が供給されて起動されると、出力端子からハイレベルの電源保持信号を出力する。この出力端子はダイオードＤ４及び抵抗Ｒ８を介して第３トランジスタＱ３のベースに接続され、また、第３トランジスタＱ３のベースは、抵抗Ｒ９を介して接地されている。また、第３トランジスタＱ３のベースは、第４トランジスタＱ４のコレクタ−エミッタを介して電源部３２にも接続されている。
【００６１】
そのため、マイコン３３の出力端子から前記のようにハイレベルの電源保持信号が出力されると、第３トランジスタＱ３のベース電位が高くなって第３トランジスタＱ３がオンする。第３トランジスタＱ３がオンすると、第２トランジスタＱ２がオフしても第１トランジスタＱ１はオンする。すなわち、マイコン３３への給電状態が維持される。
【００６２】
マイコン３３は、全ての器具栓スイッチ１７〜１９がオフされても一定期間に亘って電源保持信号を出力して給電状態を維持して所要の処理を行うことが可能となっている。マイコン３３は、全ての器具栓スイッチ１７〜１９がオフされて前記一定期間が経過した後、電源保持信号の出力を停止し、これによって、第３トランジスタＱ３がオフし、更に、第１トランジスタＱ１がオフしてマイコン３３への電源の供給が遮断される。
【００６３】
上記では、右コンロ用の点消火ボタン１４ｃが押し操作されて器具栓スイッチ１９がオン状態になった場合について説明したが、グリル用の点消火ボタン１４ｂが押し操作されて器具栓スイッチ１７がオン状態になった場合、及び、左コンロ用の点消火ボタン１４ａが押し操作されて器具栓スイッチ１８がオン状態になった場合も同様である。
【００６４】
本実施形態では、操作基板３４に設けられている上記のグリル用のタイマー入力部８１のプラスキー８１ａ及びマイナスキー８１ｂが、カスタマイズモードスイッチ３５として機能する。
【００６５】
カスタマイズモードスイッチ３５であるプラスキー８１ａ及びマイナスキー８１ｂが同時に押し操作されていない状態では、カスタマイズモードスイッチ３５は、オフ状態である。
【００６６】
マイコン３５の記憶部に記憶されている、例えば、炊飯モードにおけるご飯の炊き上がりの状態、あるいは、コンロ消し忘れ消火機能設定時間などのバーナによる加熱に関連する各種の設定内容を、工場出荷時の初期値から使用者の好みや使い勝手に応じて変更するカスタマイズモードを開始するには、ガスコンロ１を使用していない状態する。
【００６７】
次に、カスタマイズモードを開始するために、使用者が、グリル用のタイマー入力部８１のプラスキー８１ａ及びマイナスキー８１ｂを同時に３秒以上押し操作すると、カスタマイズモードスイッチ３５が３秒以上に亘ってオン状態となる。
【００６８】
カスタマイズモードスイッチ３５がオンされると、電源部３２から抵抗Ｒ１０、抵抗Ｒ１１、抵抗Ｒ１３、カスタマイズモードスイッチ３５を介して電流が流れる。これによって、抵抗Ｒ１０にベースエミッタ間が接続されている第４トランジスタＱ４のベース電位が低下し、第４トランジスタＱ４がオンする。第４トランジスタＱ４は、第３トランジスタＱ３のベースに抵抗Ｒ７を介して接続されているので、第４トランジスタＱ４がオンすると、電源部３２から、第４トランジスタＱ４、抵抗Ｒ７、抵抗Ｒ９を介して電流が流れることによって、第３トランジスタＱ３のベース電位が高くなって、第３トランジスタＱ３がオンする。第３トランジスタＱ３がオンすると、該第３トランジスタＱ３のコレクタに抵抗Ｒ６を介してベースが接続されている第１トランジスタＱ１のベース電位が低下してオンし、電源部３２から、第１トランジスタＱ１のコレクタ−エミッタを介してマイコン３３の電源入力端子に電源が供給されて、マイコン３３が動作を開始する。
【００６９】
また、カスタマイズモードスイッチ３５が、オン状態になると、マイコン３３のカスタマイズモードスイッチ（ＳＷ）入力端子は、ダイオードＤ５のアノードカソード間電位、つまりローレベル電位に変化する。これによって、マイコン３３は、上記第１トランジスタＱ１のオンに伴う起動により、カスタマイズモードスイッチ３５が操作されたことを認識し、カスタマイズモードを開始する。
【００７０】
なお、マイコン３３は、電源が供給されて起動されると、上記のように出力端子からハイレベルの電源保持信号を出力し、カスタマイズモードスイッチ３５がオフ状態となっても、カスタマイズモード状態を維持する。
【００７１】
このように本実施形態によれば、点消火ボタン１４ｂ，１４ａ，１４ｃの点火操作、したがって、バーナの点火動作をすることなく、マイコン３３に電源を供給してカスタマイズモードを開始することができる。
【００７２】
カスタマイズモードが開始された後は、次のようにして設定項目を選択して設定内容を変更する。
【００７３】
すなわち、カスタマイズモードでは、図２に示されるコンロ用の調理設定部７のタイマー表示部７２に、カスタマイズ用の設定項目が表示され、タイマー入力部７１のプラスキー７１ａ、マイナスキー７１ｂを操作して設定項目を切り替える。
【００７４】
各設定項目に対する設定内容は、図３に示されるグリル用の操作部８のタイマー表示部８２に表示され、タイマー入力部８１のプラスキー８１ａ、マイナスキー８１ｂを操作して設定内容を変更する。タイマー入力部８１のプラスキー８１ａ、マイナスキー８１ｂは、変更する設定内容を入力するために操作される入力操作部である。
【００７５】
図８は、コンロ用のタイマー表示部７２に表示される設定項目に対応する表示内容、及び、グリル用のタイマー表示部８２に表示される設定内容に対応する表示内容を示す図である。
【００７６】
この図８に示すように、変更しようとする設定項目が、消し忘れ消火時間の場合、工場出荷時は１２０分に初期設定されている。使用者は、消し忘れ消火時間を変更しようとするときには、コンロ用のタイマー入力部７１のプラスキー７１ａ、マイナスキー７１ｂを操作して、コンロ用のタイマー表示部７２に、消し忘れ消火時間の変更に対応する「０１」を表示させる。その後、グリル用のタイマー入力部８１のプラスキー８１ａ、マイナスキー８１ｂを操作して、所望の消し忘れ消火時間に対応する数値を、グリル用のタイマー表示部８２に表示させる。例えば、所望の消し忘れ消火時間が、６０分であれは、「６」を表示させる。
【００７７】
変更しようとする設定項目が、湯わかしモードの沸騰お知らせ時間である場合、工場出荷時は標準に初期設定されている。使用者は、沸騰お知らせ時間を、例えば、早くしたいと思うときには、コンロ用のタイマー入力部７１のプラスキー７１ａ、マイナスキー７１ｂを操作して、コンロ用のタイマー表示部７２に、湯わかしモードの沸騰お知らせ時間の変更に対応する「０２」を表示させる。その後、グリル用のタイマー入力部８１のプラスキー８１ａ、マイナスキー８１ｂを操作して、所望の沸騰お知らせ時間の「早め」に対応する数値「１」を、グリル用のタイマー表示部８２に表示させる。
【００７８】
また、変更しようとする設定項目が、ごはんモード（もっちりごはんモード）の炊き具合の場合、工場出荷時は標準に初期設定されている。使用者は、炊き具合を、例えば、「やわらかめ」にしたいと思うときには、コンロ用のタイマー入力部７１のプラスキー７１ａ、マイナスキー７１ｂを操作して、コンロ用のタイマー表示部７２に、ごはんモード（もっちりごはんモード）の炊き具合の変更に対応する「０３」（「０４」）を表示させる。その後、グリル用のタイマー入力部８１のプラスキー８１ａ、マイナスキー８１ｂを操作して、「やわらかめ」に対応する数値「１」を、グリル用のタイマー表示部８２に表示させる。
【００７９】
変更しようとする設定項目が、例えば、炊きこみごはんモードのおこげである場合、工場出荷時は標準に設定されている。使用者は、おこげを、例えば、おこげを少なめにしたいと思うときには、コンロ用のタイマー入力部７１のプラスキー７１ａ、マイナスキー７１ｂを操作して、コンロ用のタイマー表示部７２に、炊きこみごはんモードのおこげの変更に対応する「０５」を表示させる。その後、グリル用のタイマー入力部８１のプラスキー８１ａ、マイナスキー８１ｂを操作して、「おこげ少なめ」に対応する数値「１」を、グリル用のタイマー表示部８２に表示させる。また、例えば、おこげを、「おこげを多め」にしたいと思うときには、「おこげ多め」に対応する数値「３」をグリル用のタイマー表示部８２に表示させる。
【００８０】
変更しようとする設定項目が、小火から大火時の報知である場合、工場出荷時は報知「有」（ＯＮ）に初期設定されている。使用者は、小火から大火時の報知をなくしたいと思うときには、コンロ用のタイマー入力部７１のプラスキーキー７１ａ、マイナスキー７１ｂを操作して、コンロ用のタイマー表示部７２に、小火から大火時の報知に対応する「０６」を表示させる。その後、グリル用のタイマー入力部８１のプラスキー８１ａ、マイナスキー８１ｂを操作して、報知「無」（ＯＦＦ）に対応する「ＯＦ」を、グリル用のタイマー表示部８２に表示させる。また、小火から大火時の報知を再度、「有」にしたいと思うときには、報知「有」（ＯＮ）に対応する「ＯＮ」をグリル用のタイマー表示部８２に表示させる。
【００８１】
変更しようとする設定項目が、レンジフード連動運転機能の設定である場合、工場出荷時は連動運転機能「有」（ＯＮ）に初期設定されている。使用者は、レンジフード連動運転機能をなくしたいと思うときには、コンロ用のタイマー入力部７１のプラスキー７１ａ、マイナスキー７１ｂを操作して、コンロ用のタイマー表示部７２に、レンジフード連動運転機能の設定に対応する「０７」を表示させる。その後、グリル用のタイマー入力部８１のプラスキー８１ａ、マイナスキー８１ｂを操作して、連動運転機能「無」（ＯＦＦ）に対応する「ＯＦ」を、グリル用のタイマー表示部８２に表示させる。また、レンジフード連動運転機能を再度、連動運転機能「有」したいと思うときには、「ＯＮ」をグリル用のタイマー表示部８２に表示させる。
【００８２】
変更しようとする設定項目が音量の場合、工場出荷時は「中」に初期設定されている。使用者は、例えば、音量を小さくしたいと思うときには、コンロ用のタイマー入力部７１のプラスキー７１ａ、マイナスキー７１ｂを操作して、コンロ用のタイマー表示部７２に、音量の変更に対応する「０８」を表示させる。その後、グリル用のタイマー入力部８１のプラスキー８１ａ、マイナスキー８１ｂを操作して、音量「小」に対応する数値「１」を、グリル用のタイマー表示部８２に表示させる。また、例えば、音量を大きくしたいと思うときには、音量「大」に対応する数値「３」をグリル用のタイマー表示部８２に表示させる。
【００８３】
上記のようにして、工場出荷時の初期値に限らず、使用者が変更設定した設定値を更に変更設定することができる。
【００８４】
今までに、カスタマイズモードで変更した設定項目の設定内容の全てを、初期設定に戻したいと思ったときは、使用者は、コンロ用のタイマー入力部７１のプラスキー７１ａ、マイナスキー７１ｂを操作して、コンロ用のタイマー表示部７２に、全ての設定のリセットに対応する「０９」を表示させる。その後、コンロ用のタイマー入力部７１のプラスキー７１ａと、グリル用のタイマー入力部８１のプラスキー８１ａとを同時押しし、工場出荷時の初期設定値に戻す。
【００８５】
前回の故障情報を見たいと思った使用者は、コンロ用のタイマー入力部７１のプラスキー７１ａ、マイナスキー７１ｂを操作して、コンロ用のタイマー表示部７２に、前回故障情報に対応する「１０」を表示させ、コンロ用のタイマー表示部７２のお知らせ表示により、前回の故障状態を把握する。例えば、コンロ用のタイマー表示部７２に、例えば、「Ｅ１」が表示されていると、不着火で前回終了したと把握することができる。
【００８６】
上記のようにして変更する設定内容の設定操作が完了すると、グリル用のタイマー入力部８１のプラスキー８１ａ及びマイナスキー８１ｂを同時に３秒以上押し操作する。これによって、マイコン３３は、変更した設定内容を、設定項目に対応させて記憶部に記憶させて登録し、カスタマイズモードは終了する。マイコン３３は、電源保持信号の出力を停止して当該マイコン３３への電源の供給が遮断される。
【００８７】
カスタマイズモードの開始後、どの操作部も操作されない無操作状態が３０秒間続くと、マイコン３３は、カスタマイズモードを終了し、電源保持信号の出力を停止して当該マイコン３３への電源の供給が遮断される。
【００８８】
また、カスタマイズモードの開始後、何れかの点消火ボタン１４が点火操作されると、マイコン３３は、カスタマイズモードを終了する。
【００８９】
以上のようにしてカスタマイズモードを終了した後は、マイコン３３は、変更されて記憶部に記憶された設定内容に基づいて、加熱処理等の制御を行なう。
【００９０】
［その他の実施形態］
上記実施形態では、カスタマイズモードスイッチを、タイマー入力部８１のプラスキー８１ａ及びマイナスキー８１ｂで兼用したけれども、専用のカスタマイズモードスイッチを設けてもよい。
【００９１】
上記実施形態では、カスタマイズモードを開始させる操作と、終了させる操作とは、同じ操作としたけれど、異なる操作としてもよい。
【符号の説明】
【００９２】
１        ガスコンロ
２        加熱部
１４      点消火ボタン
３２      電源部
３３      マイコン
３５      カスタマイズモードスイッチ
７１      コンロ用のタイマー入力部
８１      グリル用のタイマー入力部
８１ａ    プラスキー
８１ｂ    マイナスキー
【図１】
2017116191.tif 000003
【図２】
2017116191.tif 000004
【図３】
2017116191.tif 000005
【図４】
2017116191.tif 000006
【図５】
2017116191.tif 000007
【図６】
2017116191.tif 000008
【図７】
2017116191.tif 000009
【図８】
2017116191.tif 000010